(57)【要約】【課題】明るいファインダ像を確保しつつ、種々の情報の多様なインポーズ表示を可能とするホログラフィック光学素子等を提供する。【解決手段】一対の板状の透光性部材１２ａ，１２ｂと、透光性部材１２ａ，１２ｂにそれぞれ設けられた透明電極１１ａ，１１ｂと、液晶１３と、配向が固定された液晶１４とからなり、透明電極１１ａ，１１ｂどうしが対向するように配置された透光性部材１２ａ，１２ｂの間に、液晶１３と配向が固定された液晶１４とを縞状に交互に配置してホログラフィック光学素子を構成する。【選択図】図２
2004191415.tif 000002
【特許請求の範囲】
【請求項１】
一対の板状の透光性部材と、
前記透光性部材にそれぞれ設けられた透明電極と、
液晶と、
配向が固定された液晶とからなり、
前記透明電極どうしが対向するように配置された前記透光性部材の間に、前記液晶と前記配向が固定された液晶とを縞状に交互に配置したことを特徴とするホログラフィック光学素子。
【請求項２】
請求項１に記載のホログラフィック光学素子において、
前記配向が固定された液晶は、紫外線硬化型液晶であることを特徴とするホログラフィック光学素子。
【請求項３】
請求項２に記載のホログラフィック光学素子は、
電圧無印加時は、前記液晶の配向と前記紫外線硬化型液晶の配向とが異なり、電圧印加時に、前記液晶の配向が変わり、前記液晶の配向と前記紫外線硬化型液晶の配向とが同じになるため、電圧無印加時に光を回折することを特徴とするホログラフィック光学素子。
【請求項４】
請求項２に記載のホログラフィック光学素子は、
電圧無印加時は、前記液晶の配向と前記紫外線硬化型液晶の配向とが同じであり、
電圧印加時に、前記液晶の配向が変わり、前記液晶の配向と前記紫外線硬化型液晶の配向とが異なることで、電圧印加時に光を回折することを特徴とするホログラフィック光学素子。
【請求項５】
被写体像と所定の情報とを重ねて表示するカメラのファインダ内表示装置において、
請求項１乃至請求項４のいずれか１項に記載のホログラフィック光学素子を備えたことを特徴とするカメラのファインダ内表示装置。
【請求項６】
請求項５に記載のカメラのファインダ内表示装置において、
前記透明電極は、当該透明電極自体が図形や文字の形をなすように前記透光性部材に設けられており、
前記所定の情報として図形や文字を表示することを特徴とするカメラのファインダ内表示装置。
【請求項７】
請求項５に記載のカメラのファインダ内表示装置において、前記所定の情報をドットマトリクス表示するように、前記透明電極が前記透光性部材に設けられていることを特徴とするカメラのファインダ内表示装置。
【請求項８】
被写体像と所定の情報とを重ねて表示するカメラのファインダ内表示装置において、
請求項１乃至請求項４のいずれか１項に記載のホログラフィック光学素子を複数組み合わせて備えたことを特徴とするカメラのファインダ内表示装置。
【請求項９】
請求項５乃至請求項８のいずれか１項に記載のカメラのファインダ内表示装置をスクリーンに隣接して配置したことを特徴とするカメラ。
【発明の詳細な説明】
【０００１】
【発明の属する技術分野】
本発明は、ホログラフィック光学素子、カメラのファインダ内表示装置、及びカメラに関する。
【０００２】
【従来技術】
従来、カメラのファインダ視野内に焦点検出エリア等の種々の情報を被写体像に重ねて表示する、いわゆるスーパーインポーズ表示を行うファインダ内表示装置が知られている。斯かるファインダ内表示装置として、スクリーン面に近接して配置した透過型液晶表示素子や高分子分散型液晶表示素子によって種々の情報を表示する構成のものが提案されている（例えば、特許文献１，２参照。）。また、スクリーン面近傍に配置したマイクロプリズムに対し、発光ダイオード等からなる投光系によって光を照射し、その反射光によって種々の情報を表示する構成のものも提案されている（例えば、特許文献３参照。）。
【０００３】
【特許文献１】
特開平４−３２４８４４号公報
【特許文献２】
特開平１０−４８５９２号公報
【特許文献３】
特開平７−３１９０３２号公報
【０００４】
【発明が解決しようとする課題】
しかしながら、上述の透過型液晶表示素子を用いたファインダ内表示装置は、透過型液晶表示素子の透過率が小さいためにファインダ像（被写体像及び種々の情報）が見えにくくなってしまうという問題がある。また、上述の高分子分散型液晶表示素子を用いたファインダ内表示装置は、高分子分散型液晶表示素子の透過率は大きいものの電圧無印加時に光を拡散する状態となるため、ファインダ視野内の表示に制約があるという問題がある。さらに、上述のマイクロプリズムを用いたファインダ内表示装置は、種々の情報について細かな表示を行うことが困難であるという問題がある。
【０００５】
そこで本発明は上記問題点に鑑みてなされたものであり、明るいファインダ像を確保しつつ、種々の情報の多様なインポーズ表示を可能とするホログラフィック光学素子、カメラのファインダ内表示装置、及びカメラを提供することを目的とする。
【０００６】
【課題を解決するための手段】
上記課題を解決するために請求項１に記載の発明は、
一対の板状の透光性部材と、
前記透光性部材にそれぞれ設けられた透明電極と、
液晶と、
配向が固定された液晶とからなり、
前記透明電極どうしが対向するように配置された前記透光性部材の間に、前記液晶と前記配向が固定された液晶とを縞状に交互に配置したことを特徴とするホログラフィック光学素子を提供する。
【０００７】
また、請求項２に記載のホログラフィック光学素子は、
前記配向が固定された液晶は、紫外線硬化型液晶であることを特徴とする。
【０００８】
また、請求項３に記載のホログラフィック光学素子は、
電圧無印加時は、前記液晶の配向と前記紫外線硬化型液晶の配向とが異なり、電圧印加時に、前記液晶の配向が変わり、前記液晶の配向と前記紫外線硬化型液晶の配向とが同じになるため、電圧無印加時に光を回折することを特徴とする。
【０００９】
また、請求項４に記載のホログラフィック光学素子は、
電圧無印加時は、前記液晶の配向と前記紫外線硬化型液晶の配向とが同じであり、
電圧印加時に、前記液晶の配向が変わり、前記液晶の配向と前記紫外線硬化型液晶の配向とが異なることで、電圧印加時に光を回折することを特徴とする。
【００１０】
また、請求項５に記載のカメラのファインダ内表示装置は、
被写体像と所定の情報とを重ねて表示するカメラのファインダ内表示装置において、
請求項１乃至請求項４のいずれか１項に記載のホログラフィック光学素子を備えたことを特徴とする。
【００１１】
また、請求項６に記載のカメラのファインダ内表示装置は、
前記透明電極は、当該透明電極自体が図形や文字の形をなすように前記透光性部材に設けられており、
前記所定の情報として図形や文字を表示することを特徴とする。
【００１２】
また、請求項７に記載のカメラのファインダ内表示装置は、
前記所定の情報をドットマトリクス表示するように、前記透明電極が前記透光性部材に設けられていることを特徴とする。
【００１３】
また、請求項８に記載のカメラのファインダ内表示装置は、
被写体像と所定の情報とを重ねて表示するカメラのファインダ内表示装置において、
請求項１乃至請求項４のいずれか１項に記載のホログラフィック光学素子を複数組み合わせて備えたことを特徴とする。
【００１４】
また、請求項９に記載のカメラは、
請求項５乃至請求項８のいずれか１項に記載のカメラのファインダ内表示装置をスクリーンに隣接して配置したことを特徴とする。
【００１５】
【発明の実施の形態】
以下、添付図面に基づいて本発明の実施の形態を説明する。
（第１実施形態）
本発明の第１実施形態に係るホログラフィック光学素子を組み込んだファインダ内表示装置を備えた一眼レフカメラについて説明する。
始めに、本実施形態に係る一眼レフカメラの構成及び動作の概要を説明する。図１は、本発明の第１実施形態に係る一眼レフカメラを示す概略構成図である。図１において一眼レフカメラ１は、カメラボディ２に交換可能に装着された撮影レンズ３と、該撮影レンズ３からの被写体光を反射するクイックリターンミラー４と、不図示のフィルムの感光材料面と共役な位置に配置されたスクリーン５と、該スクリーン５上に結像された被写体像を観察するためのペンタプリズム６及び接眼レンズ７とを備えている。
また、カメラボディ２内には、後述のホログラフィック光学素子８がスクリーン５に隣接して配置されている。そして、このホログラフィック光学素子８の側面付近には、該ホログラフィック光学素子８を照明するための光源９が配置されている。また、ホログラフィック光学素子８には、該ホログラフィック光学素子８の光学的な性質を電気的に制御するためのドライバ１０が接続されている。
【００１６】
斯かる構成の一眼レフカメラ１において、不図示の被写体からの被写体光Ｌ１は、撮影レンズ３を介してクイックリターンミラー４によって反射され、スクリーン５上に結像する。そして、スクリーン５を透過したこの光は、ホログラフィック光学素子８を通過した後、ペンタプリズム６によって反射され、接眼レンズ７を介して撮影者（ファインダ観察者）に被写体像として観察される。
尚、撮影の際には、クイックリターンミラー４を光路上から外すことによって、被写体光Ｌ１がフィルムに到達して該フィルムを露光する（被写体がフィルム上に撮影される）。
【００１７】
次に、光源９から射出された光は、ホログラフィック光学素子８に入射し、該ホログラフィック光学素子８によってペンタプリズム６方向（図面上方）へ回折される。ここで、ホログラフィック光学素子８は、ドライバ１０によって制御されており、ファインダ視野内に所定の情報（撮影者に必要とされる焦点検出エリア等の種々の情報）を表示するように光源からの光を回折する。尚、該回折及びホログラフィック光学素子８の構造については後に詳述する。
そして、この回折された光Ｌ２は、ペンタプリズム６によって反射され、接眼レンズ７を介して撮影者に所定の情報として観察される。
以上の構成により、所定の情報が上述の被写体像に重ねてファインダ視野内に表示（スーパーインポーズ表示）されるため、撮影者は被写体像と所定の情報とを同時に観察することが可能となる。
【００１８】
次に、本実施形態の特徴的な部分であるホログラフィック光学素子８について詳細に説明する。
まず、図２を参照してホログラフィック光学素子８の構造について説明する。図２は、本実施形態におけるホログラフィック光学素子８を示す断面図である。図２に示すホログラフィック光学素子８において、透明電極１１ａ，１１ｂがそれぞれ設けられている一対のガラス板１２ａ，１２ｂは、該透明電極１１ａ，１１ｂどうしが対向するように配置されている。この透明電極１１ａ，１１ｂは、本実施形態では互いに同じ形状、即ち図２上方（図１ではペンタプリズム６側）から見て互いに重なる形状をしており、図３（ａ）に示すように図形と文字の形をなすように各ガラス板１２ａ，１２ｂ上に設けられている。ここで、図３（ａ）は、本実施形態におけるホログラフィック光学素子８の透明電極１１ａ，１１ｂを示す図である。この透明電極１１ａ，１１ｂの形状により、ホログラフィック光学素子８は光源９からの光を回折してファインダ視野内に図形と文字からなる所定の情報を表示することができる。
【００１９】
また、透明電極１１ａ，１１ｂは、それぞれ不図示の配線を介して上述のドライバ１０と接続されており、対向する透明電極１１ａ，１１ｂ間に電圧が印加できるようになっている。このような透明電極１１ａ，１１ｂを備えたガラス板１２ａ，１２ｂの間には、液晶１３と、配向が固定された液晶１４とがホログラフィック光学素子８の縁方向（図面横方向）へ向かって縞状に交互に配置されている。液晶１３は、電圧の印加／無印加によって配向が変化する液晶である。また、配向が固定された液晶１４は、電圧の印加／無印加に関わらず配向が一定である紫外線硬化型液晶である。尚、電圧無印加状態において液晶１３の配向と紫外線硬化型液晶１４の配向とは揃っている。従って、ドライバ１０によって対向する透明電極１１ａ，１１ｂ間に電圧が印加されることにより、この電圧が印加された透明電極１１ａ，１１ｂ間に位置する液晶１３の配向が変化することとなる。
さらに、ホログラフィック光学素子８の縁部分は、封止剤１５によって封止されている。
【００２０】
次に、図４を参照してホログラフィック光学素子８の動作原理について説明する。図４は、本実施形態におけるホログラフィック光学素子８の動作原理を説明する図であり、（ａ）は電圧無印加状態、（ｂ）は電圧印加状態をそれぞれ示している。
図４（ａ）に示すように、透明電極１１ａ，１１ｂ間に電圧を印加していない状態において、液晶１３の配向は、紫外線硬化型液晶１４の配向と同じように図面横方向となっている。このため、ホログラフィック光学素子８における液晶部分１３，１４の屈折率は略一様となる。従って、光源９から射出されてホログラフィック光学素子８に側面から入射した光は、液晶部分１３，１４に屈折率差がないため、回折されずに素子８内を進行し入射側面と反対の側面から射出する。このように、電圧無印加状態において光源９からの光はホログラフィック光学素子８を透過する。この透過光は、接眼レンズ７に導かれることがなく、撮影者には接眼レンズ７を介して被写体像のみが観察されることとなる。
【００２１】
一方、図４（ｂ）に示すように、ドライバ１０によって透明電極１１ａ，１１ｂ間に電圧を印加した状態において、液晶１３の配向は、図面縦方向へと変化する。尚、紫外線硬化型液晶１４の配向は、電圧無印加状態における配向と変わらず図面横方向のままである。従って、ホログラフィック光学素子８において、ドライバ１０によって電圧が印加された透明電極間に位置する液晶部分１６は、屈折率の大きい部分（図面縦方向に配向した液晶１３部分）と、屈折率の小さい部分（図面横方向に配向している紫外線硬化型液晶１４部分）とが縞状に交互に並ぶ、即ち液晶部分１６の屈折率が縞状（回折格子状）に変化している状態となる。このため、光源９から射出されてホログラフィック光学素子８に側面から入射した光は、液晶部分１６においてブラックの回折条件を満たす方向に回折されることとなる。このブラックの回折条件は、本実施形態において光源９からの光を図上方へ略垂直に回折するように設定されている。従って、ホログラフィック光学素子８内を進行する光は、図面上方（ペンタプリズム方向）に回折されて射出面８ａから射出される。このように、電圧印加時において光源９からの光はホログラフィック光学素子８によって回折されて、ペンタプリズム６を介して接眼レンズ７へ導かれることとなる。このようにして、ドライバ１０によって透明電極間の各部分に電圧を印加する又は無印加とすることでホログラフィック光学素子８が制御され、所定の情報がファインダ視野内に被写体像と重ねて多様に表示される。本実施形態においてファインダ視野１７内に表示された情報（焦点検出エリア１７ａ、露光時間１７ｂ、及び絞り値１７ｃ）の例を図３（ｂ）に示す。ここで、図３（ｂ）は、本実施形態においてファインダ視野１７内に表示された情報（焦点検出エリア１７ａ、露光時間１７ｂ、及び絞り値１７ｃ）の例を示す図である。
【００２２】
以上、本実施形態に係る一眼レフカメラは、液晶と紫外線硬化型液晶によって構成されたホログラフィック光学素子をファインダ内表示装置に組み込むことによって、明るいファインダ像を確保しつつ、種々の多様なインポーズ表示を行うことができる。
【００２３】
以下、本実施形態におけるホログラフィック光学素子８の別な態様を説明する。
上記第１実施形態におけるホログラフィック光学素子８は、基本的に単色の光を回折するものである。このため、種々の情報はファインダ視野内に単色で表示されることとなる。本発明において、ホログラフィック光学素子の構成はこれに限られるものでない。
図５は、ホログラフィック光学素子の別な態様を示す構成図である。図５に示すホログラフィック光学素子１８は、赤色光を回折するホログラフィック光学素子１８Ｒと、この赤色光と同じ方向に青色光を回折するホログラフィック光学素子１８Ｂと、同じく赤色光と同じ方向に緑色光を回折するホログラフィック光学素子１８Ｇとの３種類のホログラフィック光学素子を組み合わせて構成したものである。
斯かるホログラフィック光学素子１８をファインダ内表示装置に組み込む。さらに、光源９は各ホログラフィック光学素子１８Ｒ，１８Ｇ，１８Ｂに対して白色光を照射し、ドライバ１０は各ホログラフィック光学素子１８Ｒ，１８Ｇ，１８Ｂを順々に時分割でオン／オフする構成とする。これにより、各ホログラフィック光学素子１８Ｒ，１８Ｇ，１８Ｂは、それぞれオン状態のときに白色光のうちの対応する色の光を回折することとなる。従って、ホログラフィック光学素子１８は、各色光を同じ方向に重ねて回折することが可能となる。
以上より、ホログラフィック光学素子１８を組み込んだファインダ内表示装置は、所定の情報をファインダ視野内に色分けして表示することができる。さらに、各ホログラフィック光学素子１８Ｒ，１８Ｇ，１８Ｂの回折効率を任意に変更することによって、ファインダ視野内に所定の情報をフルカラー表示することができる。
【００２４】
また、上記第１実施形態におけるホログラフィック光学素子８は、一対のガラス板１２ａ，１２ｂにそれぞれ形成された透明電極１１ａ，１１ｂは、互いに同じ形状で、図上方から見て互いに重なるように配置されている。本発明において、透明電極の形状はこれに限られるものでない。
例えば、透明電極を一対のガラス板にそれぞれ縞状に形成し、この縞状の透明電極どうしが上方から見て直交して格子形状をなすようにガラス板を配置してホログラフィック光学素子を構成する。これにより、ホログラフィック光学素子における上方から見て透明電極の直交している任意の箇所にて光源からの光を回折させることが可能となる。従って、この透明電極の直交している箇所に対応してファインダ視野内に点を表示することが可能となる。
以上より、上記構成のホログラフィック光学素子を組み込んだファインダ内表示装置は、ファインダ視野内に所定の情報をドットマトリクス表示することができる。
【００２５】
また例えば、一対のガラス板のうちの一方のガラス板には図形と文字の形状あるいは格子形状等をなすように透明電極を形成し、他方のガラス板にはガラス面全体に一様に透明電極を形成したホログラフィック光学素子を構成する。
斯かる構成のホログラフィック光学素子を組み込んだファインダ内表示装置でも、上述の各ホログラフィック光学素子を組み込んだファインダ内表示装置と同様に所定の情報をファインダ視野内に表示することができる。
【００２６】
また、上記第１実施形態のホログラフィック光学素子８及び別な態様のホログラフィック光学素子において、液晶の配向と紫外線硬化型液晶の配向は、電圧無印加時に揃っている。そして、電圧印加時に液晶の配向が変化することによって、液晶と紫外線硬化型液晶に屈折率差が生じて光を回折する構成である。本発明において、液晶の配向はこれに限られるものでない。
液晶の配向と紫外線硬化型液晶の配向が、電圧印加時に揃っており、電圧を無印加とした時に液晶の配向が変化して液晶と紫外線硬化型液晶に屈折率差が生じて光を回折するホログラフィック光学素子を構成する。
斯かる構成のホログラフィック光学素子を組み込んだファインダ内表示装置でも、上記各ホログラフィック光学素子を組み込んだファインダ内表示装置と同様に所定の情報をファインダ視野内に表示することができる。
【００２７】
次に、図６を参照して上記第１実施形態におけるホログラフィック光学素子８の製造方法について説明する。図６は、上記第１実施形態におけるホログラフィック光学素子８の製造方法を説明する図である。
まず、一対のガラス板１２ａ，１２ｂにそれぞれ上述した形状の透明電極１１ａ，１１ｂを形成する。そして、この一対のガラス板１２ａ，１２ｂを透明電極１１ａ，１１ｂどうしが対向するように隙間の開いた状態で固定して中空のセルＳを作る。
次に、セルＳの中空部分に上述した液晶１３と紫外線硬化型液晶１４との混合液１９を充填する。尚、混合液１９を充填したセルの縁部分は封止剤１５によって封止する。
そして、縞状の開口部を有するマスク２０をセルＳのガラス板１２ａに被せ、このマスク２０を被せたガラス板１２ａに向かって紫外光を照射する（図４（ａ）を参照）。これにより、マスク２０の開口部より紫外光がセル内部へ入射し、紫外光が進行した箇所に紫外線硬化型液晶１４が重合する。これにより、液晶１３と紫外線硬化型液晶１４とがセルの縁方向へ向かって縞状に分離し、さらに紫外線硬化型液晶１４の配向は固定となる（図４（ｂ）を参照）。
以上の製造方法により、上記第１実施形態におけるホログラフィック光学素子８を製造することができる。尚、上述の別な態様のホログラフィック光学素子についても同様に製造することができる。
【００２８】
また、図７を参照してホログラフィック光学素子の別な製造方法について説明する。図７（ａ）は、ホログラフィック光学素子の別な製造方法を実現するための装置の構成を示す図である。
本製造方法においても、上述の製造方法にて用いたセルＳと同様、液晶と紫外線硬化型液晶との混合液を充填したセルＳを用いる。
図７において、光源２１から射出された紫外線レーザは、ビームスプリッタ２２によって２つの光束Ｌａ，Ｌｂに分離され、それぞれミラー２３ａ，２３ｂへ入射する。ミラー２３ａ，２３ｂへ入射した光束Ｌａ，Ｌｂは、該ミラー２３ａ，２３ｂにてそれぞれ反射され、ビームイクスパンダ２４ａ，２４ｂに入射する。ここで、光束Ｌａ，Ｌｂはビームイクスパンダ２４ａ，２４ｂによってビーム径を拡大される。ビーム径が拡大された光束Ｌａ，Ｌｂの交差する位置には上記セルＳが配置されている。従って光束Ｌａ，Ｌｂは、それぞれセルＳのガラス面Ｓａ，縁面ＳｂよりセルＳへ入射する。
ここで、光束Ｌａ，Ｌｂが交わり干渉することによって明暗の縞模様ができるため、セルＳ上には明るい箇所と暗い箇所ができる。従って、セルＳの明るい箇所に紫外線硬化型液晶が重合することとなる。これにより、液晶と紫外線硬化型液晶とがセルの縁方向へ向かって縞状に分離し、さらに紫外線硬化型液晶の配向は固定となる。ここで、図７（ｂ）は、図７（ａ）におけるセルＳ部分の拡大図であり、光束Ｌａの波面と光束Ｌｂの波面を示す図である。図７（ｂ）において、セルＳ内で各波面の交わる箇所が上記明るい箇所であり、ここに紫外線硬化型液晶が重合する。
以上の製造方法によっても、上記各ホログラフィック光学素子を製造することができる。
【００２９】
（第２実施形態）
次に、本発明の第２実施形態に係るホログラフィック光学素子を組み込んだコンパクトカメラ用ファインダ内表示装置について説明する。
図８は、本発明の第２実施形態に係るコンパクトカメラ用ファインダ内表示装置を示す概略構成図である。図８において、コンパクトカメラ用ファインダ内表示装置２５は、ファインダ対物レンズ２６と、該ファインダ対物レンズ２６の結像位置に配置されたホログラフィック光学素子２８と、ファインダ対物レンズ２６からの被写体光及びホログラフィック光学素子２８からの所定の情報を観察するためのレンズ２７とを備えている。さらに、ホログラフィック光学素子２８を照明する光源９と、ホログラフィック光学素子２８の光学的な性質を電気的に制御するドライバ１０が備えられている。ここで、ホログラフィック光学素子２８は、後述する透明電極２９ａ，２９ｂ部分以外、上記第１実施形態におけるホログラフィック光学素子の構成と同様である。尚、上記第１実施形態と同様の部分については同じ符号を付して説明を省略する。
ホログラフィック光学素子２８において、透明電極２９ａ，２９ｂは、図９（ａ）に示すようにＬ字形状をなすように各ガラス板１２ａ，１２ｂにそれぞれ設けられている。ここで、図９（ａ）は、本実施形態におけるホログラフィック光学素子２８の透明電極２９ａ，２９ｂを示す図である。これにより、ファインダ視野内にはＬ字状の線が視野枠として表示されることとなる。尚、透明電極２９ａ，２９ｂはＬ字形状に限られず、上記第１実施形態において述べた図形や文字形状の透明電極と組み合わせて設けることも当然可能である。
【００３０】
斯かる構成のコンパクトカメラ用ファインダ内表示装置２５において、被写体からの被写体光は、ファインダ対物レンズ２６を通ってホログラフィック光学素子２８を透過し、レンズ２７を介して撮影者に観察される。
次に、光源９から射出された光は、ホログラフィック光学素子２８に入射し、該ホログラフィック光学素子２８によってレンズ２７方向（図右方向）へ回折される。この回折された光は、レンズ２７を介して撮影者に所定の情報として観察される。
以上の構成により、所定の情報（Ｌ字形状の視野枠）が上述の被写体像に重ねてファインダ視野内に表示されるため、撮影者は被写体像と所定の情報とを同時に観察することが可能となる。本実施形態においてファインダ視野１７内に表示される情報（視野枠２９）の例を図９（ｂ）に示す。ここで、図９（ｂ）は、本実施形態においてファインダ視野１７内に表示される情報（視野枠２９）の例を示す図である。
【００３１】
コンパクトカメラは、一眼レフカメラと異なり撮影レンズとファインダ対物レンズとが互いに離れた位置に設けられている。このため、コンパクトカメラから被写体までの距離に応じて、ファインダ視野（ファインダ視野内全体で観察される範囲）と撮影レンズの撮影範囲（実際にフィルムに写し込まれる範囲）とにずれ、いわゆるパララックス（視差）が発生する。
本実施形態に係るコンパクトカメラ用ファインダ内表示装置は、上述の構成により、撮影距離（コンパクトカメラから被写体までの距離）に応じて、ファインダ視野内において撮影領域を示す視野枠を表示することによって、パララックスを補正することができる。
また、ファインダ視野において視野枠によって区分された撮影レンズの撮影範囲とそれ以外の範囲（フィルムに写し込まれない範囲）を同時に観察できる。このため、標準モードやパノラマモード等の撮影モードの切り替えに応じて撮像領域を表示する場合の構図選びに非常に有用である。
【００３２】
以上、本実施形態に係るコンパクトカメラ用ファインダ内表示装置は、上記第１実施形態と同様、液晶と紫外線硬化型液晶によって構成されたホログラフィック光学素子を組み込むことによって、明るいファインダ像を確保しつつ、種々の多様なインポーズ表示を行うことができる。
【００３３】
【発明の効果】
本発明によれば、明るいファインダ像を確保しつつ、種々の情報の多様なインポーズ表示を可能とするホログラフィック光学素子、カメラのファインダ内表示装置、及びカメラを提供することができる。
【図面の簡単な説明】
【図１】本発明の第１実施形態に係る一眼レフカメラを示す概略構成図である。
【図２】本発明の第１実施形態におけるホログラフィック光学素子を示す断面図である。
【図３】（ａ），（ｂ）はそれぞれ、本発明の第１実施形態におけるホログラフィック光学素子の透明電極を示す図，ファインダ視野内に表示された情報の例を示す図である。
【図４】本発明の第１実施形態におけるホログラフィック光学素子の動作原理を説明する図であり、（ａ），（ｂ）はそれぞれ電圧無印加状態，電圧印加状態を示す図である。
【図５】ホログラフィック光学素子の別な態様を示す構成図である。
【図６】本発明の第１実施形態におけるホログラフィック光学素子の製造方法を説明する図である。
【図７】（ａ），（ｂ）はそれぞれ、ホログラフィック光学素子の別な製造方法を実現するための装置の構成を示す図，（ａ）におけるセル部分の拡大図であり光束の波面を示す図である。
【図８】本発明の第２実施形態に係るコンパクトカメラ用ファインダ内表示装置を示す概略構成図である。
【図９】（ａ），（ｂ）はそれぞれ、本発明の第２実施形態におけるホログラフィック光学素子の透明電極を示す図，ファインダ視野内に表示される情報の例を示す図である。
【符号の説明】
１      一眼レフカメラ
２      カメラボディ
３      撮影レンズ
４      クイックリターンミラー
５      スクリーン
６      ペンタプリズム
７      接眼レンズ
８，１８，２８    ホログラフィック光学素子
９      光源
１０    ドライバ
１１ａ，１１ｂ，２９ａ，２９ｂ    透明電極
１２ａ，１２ｂ    ガラス板
１３    液晶
１４    紫外線硬化型液晶
１５    封止剤
２５    コンパクトカメラ用ファインダ内表示装置
２６    ファインダ対物レンズ
２７    レンズ
【図１】
2004191415.tif 000003
【図２】
2004191415.tif 000004
【図３】
2004191415.tif 000005
【図４】
2004191415.tif 000006
【図５】
2004191415.tif 000007
【図６】
2004191415.tif 000008
【図７】
2004191415.tif 000009
【図８】
2004191415.tif 000010
【図９】
2004191415.tif 000011